(57)【要約】【課題】従来の役物に代わる球通路部を備えることにより、遊技における遊技球そのものの動きに意外感や面白味が付加され、従来主流の表示制御等に頼ることなく、遊技球を遊技媒体とする遊技機本来の興趣を高めることができる遊技機を提供する。【解決手段】遊技領域１２に、打ち出された遊技球が通過する上下方向に延びる状態で配設され、上端に入口と下端に出口が設けられた球通路部２１〜２３と、該球通路部２１〜２３の途中に設けられ、該球通路部２１〜２３内を通過する遊技球を、前記球通路部２１〜２３外に排出するか、または球通路部２１〜２３内の通過を許可するかを決定する状態に変位可能な開閉体３０と、を備える。【選択図】図１
2011152373.tif 000002
【特許請求の範囲】
【請求項１】
遊技盤上の遊技領域に遊技球を打ち出す遊技機において、
前記遊技領域に、打ち出された遊技球が通過する上下方向に延びる状態で配設され、上端に入口と下端に出口が設けられた球通路部と、該球通路部の途中に設けられ、該球通路部内を通過する遊技球を、前記球通路部外に排出するか、または球通路部内の通過を許可するかを決定する状態に変位可能な開閉体と、を備え、
前記開閉体は、前記球通路部の内側を臨む状態で、該球通路部内を閉じる位置と開く位置とに揺動可能な揺動端部と、該揺動端部に対してその揺動中心を間にして一体に連なり、前記球通路部の外側に延出する駆動端部とを有して成り、
前記球通路部における前記揺動端部の傍らには、該揺動端部が前記球通路部内を閉じる位置にある時に、該揺動端部によって前記球通路部内での落下が絶たれた遊技球を球通路部外に導く球排出口が開設され、
前記開閉体の揺動端部の揺動は、前記駆動端部に遊技球が衝突することによって行われることを特徴とする遊技機。
【請求項２】
前記球通路部の下端にある出口を、遊技領域に設けた入賞口を臨む位置に配置したことを特徴とする請求項１に記載の遊技機。
【請求項３】
前記開閉体を前記球通路部の上下に亘り複数設けると共に、各開閉体ごとに対応させて前記球排出口を複数開設したことを特徴とする請求項１または２に記載の遊技機。
【請求項４】
前記各球排出口を、前記球通路部の両側のうち一方側にのみ開設したことを特徴とする請求項３に記載の遊技機。
【請求項５】
前記球通路部を複数設けたことを特徴とする請求項１，２，３または４に記載の遊技機。
【請求項６】
前記複数の球通路部は、遊技領域の左右方向に並ぶように並設され、その両端に位置する球通路部の何れか少なくとも一つにおける前記球排出口を、遊技領域の外側を向く一方側にのみ開設し、該球排出口の傍らに排出された遊技球が入賞する入賞口を設けたことを特徴とする請求項５に記載の遊技機。
【請求項７】
前記球排出口から排出された遊技球が入賞する入賞口は、各球排出口ごとにそれぞれ異なる大きさに形成されていることを特徴とする請求項６に記載の遊技機。
【請求項８】
前記球通路部の上端の入口に他に、該球通路部の両側のうち前記球排出口を開設した側の反対側にて前記開閉体の上方に、該球通路部の途中より遊技球が入賞し得る球入口を開設したことを特徴とする請求項１，２，３，４，５，６または７に記載の遊技機。
【請求項９】
前記球通路部を、前記遊技領域の両端に一対設けたことを特徴とする請求項１，２，３，４，５，６，７または８に記載の遊技機。
【請求項１０】
前記一対の球通路部を、それぞれ遊技領域の外縁に沿った形状に形成したことを特徴とする請求項９に記載の遊技機。
【請求項１１】
前記一対の球通路部の間に、表示装置を配設したことを特徴とする請求項９または１０に記載の遊技機。
【請求項１２】
前記球通路部を、前記遊技領域の略中央に一つ設け、該球通路部の両側に、それぞれ表示装置を配設したことを特徴とする請求項１，２，３，４，５，６または７に記載の遊技機。
【発明の詳細な説明】
【技術分野】
【０００１】  本発明は、遊技盤上の遊技領域に遊技球を打ち出す遊技機に関するものである。ここで遊技機とは、主としてパチンコ機を指すものである。
【背景技術】
【０００２】  従来、この種の遊技機は、遊技盤上に遊技球を打ち出して遊技球が遊技領域を落下する過程で、遊技領域に設けられた各種役物に遊技球が入るように構成されたパチンコ機が知られている。かかるパチンコ機では、遊技球が落下途中で各種入賞口に入賞すると、所定数の賞球が払い出されたり、液晶ディスプレイ上で複数の図柄が可変表示される抽選遊技が実行されていた。【０００３】  また、特許文献１に記載されているように、遊技領域に、遊技のメインとなる役物が設けられ、この役物内部に案内された遊技球を役物外部等へ案内する球通路を備えた遊技機も知られている。ここで球通路は、役物内部に設けられており、役物の一部として構成されていた。
【先行技術文献】
【特許文献】
【０００４】
【特許文献１】特開２００９−１３１４５９号公報
【発明の概要】
【発明が解決しようとする課題】
【０００５】  しかしながら、前述した特許文献１に記載された従来の遊技機では、球通路はあくまで役物の一部でしかなく、球通路の大きさも役物内に収まる範囲に限られており、球通路の構造も比較的単純なものであるため、遊技性を向上させる貢献度に乏しいという問題があった。【０００６】  本発明は、以上のような従来技術の有する問題点に着目してなされたものであり、従来の役物に代わる球通路部を備えることにより、遊技における遊技球そのものの動きに意外感や面白味が付加され、従来主流の表示制御等に頼ることなく、遊技球を遊技媒体とする遊技機本来の興趣を高めることができる遊技機を提供することを目的としている。
【課題を解決するための手段】
【０００７】  前述した目的を達成するための本発明の要旨とするところは、以下の各項の発明に存する。
［１］遊技盤（１１）上の遊技領域（１２）に遊技球を打ち出す遊技機（１０）において、
前記遊技領域（１２）に、打ち出された遊技球が通過する上下方向に延びる状態で配設され、上端に入口と下端に出口が設けられた球通路部（２１〜２３）と、該球通路部（２１〜２３）の途中に設けられ、該球通路部（２１〜２３）内を通過する遊技球を、前記球通路部（２１〜２３）外に排出するか、または球通路部（２１〜２３）内の通過を許可するかを決定する状態に変位可能な開閉体（３０）と、を備え、
前記開閉体（３０）は、前記球通路部（２１〜２３）の内側を臨む状態で、該球通路部（２１〜２３）内を閉じる位置と開く位置とに揺動可能な揺動端部（３１）と、該揺動端部（３１）に対してその揺動中心を間にして一体に連なり、前記球通路部（２１〜２３）の外側に延出する駆動端部（３２）とを有して成り、
前記球通路部（２１〜２３）における前記揺動端部（３１）の傍らには、該揺動端部（３１）が前記球通路部（２１〜２３）内を閉じる位置にある時に、該揺動端部（３１）によって前記球通路部（２１〜２３）内での落下が絶たれた遊技球を球通路部（２１〜２３）外に導く球排出口（３３）が開設され、
前記開閉体（３０）の揺動端部（３１）の揺動は、前記駆動端部（３２）に遊技球が衝突することによって行われることを特徴とする遊技機（１０）。【０００８】  ［２］前記球通路部（２１〜２３）の下端にある出口を、遊技領域（１２）に設けた入賞口（４１〜４３）を臨む位置に配置したことを特徴とする［１］に記載の遊技機（１０）。【０００９】  ［３］前記開閉体（３０）を前記球通路部（２１〜２３）の上下に亘り複数設けると共に、各開閉体（３０）ごとに対応させて前記球排出口（３３）を複数開設したことを特徴とする［１］または［２］に記載の遊技機（１０）。【００１０】  ［４］前記各球排出口（３３）を、前記球通路部（２１〜２３）の両側のうち一方側にのみ開設したことを特徴とする［３］に記載の遊技機（１０）。【００１１】  ［５］前記球通路部（２１〜２３）を複数設けたことを特徴とする［１］，［２］，［３］または［４］に記載の遊技機（１０）。【００１２】  ［６］前記複数の球通路部（２１〜２３）は、遊技領域（１２）の左右方向に並ぶように並設され、その両端に位置する球通路部（２１〜２３）の何れか少なくとも一つにおける前記球排出口（３３）を、遊技領域（１２）の外側を向く一方側にのみ開設し、該球排出口（３３）の傍らに排出された遊技球が入賞する入賞口（５１〜５３）を設けたことを特徴とする［５］に記載の遊技機（１０）。【００１３】  ［７］前記球排出口（３３）から排出された遊技球が入賞する入賞口（５１〜５３）は、各球排出口（３３）ごとにそれぞれ異なる大きさに形成されていることを特徴とする［６］に記載の遊技機（１０）。【００１４】  ［８］前記球通路部（２１〜２３）の上端の入口に他に、該球通路部（２１〜２３）の両側のうち前記球排出口（３３）を開設した側の反対側にて前記開閉体（３０）の上方に、該球通路部（２１〜２３）の途中より遊技球が入賞し得る球入口（３４）を開設したことを特徴とする［１］，［２］，［３］，［４］，［５］，［６］または［７］に記載の遊技機（１０）。【００１５】  ［９］前記球通路部（２１、２２）を、前記遊技領域（１２）の両端に一対設けたことを特徴とする［１］，［２］，［３］，［４］，［５］，［６］，［７］または［８］に記載の遊技機（１０）。【００１６】  ［１０］前記一対の球通路部（２１、２２）を、それぞれ遊技領域（１２）の外縁に沿った形状に形成したことを特徴とする［９］に記載の遊技機（１０）。【００１７】  ［１１］前記一対の球通路部（２１、２２）の間に、表示装置（６０）を配設したことを特徴とする［９］または［１０］に記載の遊技機（１０）。【００１８】  ［１２］前記球通路部（２１）を、前記遊技領域（１２）の略中央に一つ設け、該球通路部（２１）の両側に、それぞれ表示装置（６０）を配設したことを特徴とする［１］，［２］，［３］，［４］，［５］，［６］，［７］または［８］に記載の遊技機（１０）。【００１９】  前記本発明は、次のように作用する。
前記［１］に記載の遊技機（１０）によれば、先ず遊技領域（１２）に打ち出された遊技球が球通路部（２１〜２３）の入口に入るか否かは、遊技者の打ち出しの技量に左右される。そして、球通路部（２１〜２３）に入った遊技球は、遊技球の衝突を受けて揺動する開閉体（３０）によって、球通路部（２１〜２３）外に排出されるか、球通路部（２１〜２３）内をそのまま通過して該球通路部（２１〜２３）の出口まで到達するかが決定される。【００２０】  このような球通路部（２１〜２３）により、従来存在しない斬新な遊技を提供することができる。すなわち、先ず球通路部（２１〜２３）内に遊技球を入れることに、遊技者の技量が試されることになる。また、開閉体（３０）の揺動は、その駆動端部（３２）に対する遊技球の衝突によるため、偶然性も大きく作用してスリルも増す。さらに、遊技球そのものの動きに意外感や面白味が付加され、表示制御等に頼ることなく、遊技球を遊技媒体とする遊技機（１０）本来の興趣を高めることができる。【００２１】  前記［２］に記載の遊技機（１０）によれば、球通路部（２１〜２３）の下端にある出口が、遊技領域（１２）にある入賞口（４１〜４３）を臨む位置に配置されているから、球通路部（２１〜２３）の出口まで到達した遊技球は、そのまま入賞口（４１〜４３）に入り易い。これにより、球通路部（２１〜２３）の遊技に関しての存在価値を高めることができる。【００２２】  前記［３］に記載の遊技機（１０）によれば、前記開閉体（３０）を前記球通路部（２１〜２３）の上下に亘り複数設けると共に、各開閉体（３０）ごとに対応させて前記球排出口（３３）を複数開設したので、球通路部（２１〜２３）を通過する遊技球の動きが変化に富むものとなり、なおさら遊技の興趣を高めることができる。【００２３】  前記［４］に記載の遊技機（１０）によれば、球通路部（２１〜２３）における各球排出口（３３）を、球通路部（２１〜２３）の両側のうち一方側にのみ開設したから、該一方側にのみ球通路部（２１〜２３）外に排出される遊技球を導くことができる。【００２４】  前記［５］に記載の遊技機（１０）によれば、前記球通路部（２１〜２３）自体を複数設けたことにより、何れかの球通路部（２１〜２３）に遊技球が入る確率も高まり、よりいっそう遊技の興趣を高めることができる。【００２５】  前記［６］に記載の遊技機（１０）によれば、複数の球通路部（２１〜２３）は、遊技領域（１２）の左右方向に並ぶように並設され、さらに、両端に位置する球通路部（２１〜２３）における球排出口（３３）を、遊技領域（１２）の外側を向く一方側にのみ配置して、該球排出口（３３）の傍らに、排出された遊技球が入賞する入賞口（５１〜５３）を設けたので、遊技球が入賞口（５１〜５３）に入賞する機会が多くなり、遊技者の射幸心を刺激することができる。【００２６】  前記［７］に記載の遊技機（１０）によれば、前記球排出口（３３）から排出された遊技球が入賞する入賞口（５１〜５３）は、各球排出口（３３）ごとにそれぞれ異なる大きさに形成されているので、よりいっそう遊技者の射幸心を刺激することができる。【００２７】  前記［８］に記載の遊技機（１０）によれば、球通路部（２１��２３）の上端の入口に他にも、該球通路部（２１〜２３）の両側のうち球排出口（３３）を開設した側の反対側にて開閉体（３０）の上方に、該球通路部（２１〜２３）の途中より遊技球が入賞し得る球入口（３４）を開設したので、球通路部（２１〜２３）に入る遊技球数が多くなり、ゲーム性を向上させることができる。【００２８】  前記［９］に記載の遊技機（１０）によれば、球通路部（２１、２２）を遊技領域（１２）の両端に一対設けたことにより、左右の球通路部（２１、２２）間の遊技領域（１２）を広くとることができる。【００２９】  前記［１０］に記載の遊技機（１０）によれば、一対の球通路部（２１、２２）を、それぞれ遊技領域（１２）の外縁に沿った形状に形成したから、遊技領域（１２）をより広くとることができる。【００３０】  前記［１１］に記載の遊技機（１０）によれば、一対の球通路部（２１、２２）の間に、表示装置（６０）を配設したことにより、左右の球通路部（２１、２２）間の遊技領域（１２）を有効に活用することができる。【００３１】  前記［１２］に記載の遊技機（１０）によれば、球通路部（２１）を、遊技領域（１２）の略中央に一つ設け、該球通路部（２１）の両側に、それぞれ表示装置（６０）を配設したから、また別のデザインとして遊技の興趣を高めることができる。
【発明の効果】
【００３２】  本発明に係る遊技機によれば、従来の役物に代わる球通路部を備えることにより、遊技における遊技球そのものの動きに意外感や面白味が付加され、従来主流の表示制御等に頼ることなく、遊技球を遊技媒体とする遊技機本来の興趣を高めることができる
【図面の簡単な説明】
【００３３】
【図１】  本発明の第１実施の形態に係る遊技機を示す正面図である。
【図２】  本発明の第２実施の形態に係る遊技機の遊技盤を示す正面図である。
【図３】  本発明の第２実施の形態の変形例に係る遊技機の遊技盤を示す正面図である。
【図４】  本発明の第３実施の形態に係る遊技機の遊技盤を示す正面図である。
【図５】  本発明の第３実施の形態の変形例に係る遊技機の遊技盤を示す正面図である。
【図６】  本発明の第４実施の形態の変形例に係る遊技機の遊技盤を示す正面図である。
【図７】  本発明の第５実施の形態の変形例に係る遊技機の遊技盤を示す正面図である。
【図８】  本発明の第６実施の形態の変形例に係る遊技機の遊技盤を示す正面図である。
【発明を実施するための形態】
【００３４】  以下、図面に基づき、本発明を代表する各種実施の形態を説明する。
図１は、本発明の第１実施の形態に係る遊技機１０を示している。
本遊技機１０は、遊技盤１１上に遊技球（以下「球」とも称する。）を打ち出して遊技を行うパチンコ機である。遊技機１０は、遊技球が落下し遊技を進行させる各種入賞口を含む役物等が取り付けられた遊技領域１２を成す遊技盤１１と、遊技領域１２の正面を覆うガラスを固定するガラス枠１３等を有している。
【００３５】  ガラス枠１３には、装飾装置であるランプ・ＬＥＤ等が組み付けられている。また、ガラス枠１３の下方には、遊技球である貸球や賞球を貯留する上受け皿１４、上受け皿１４から溢れた遊技球を貯留する下受け皿１５、遊技球の打ち出し操作を遊技者が行うハンドル１６等が設けられている。なお、図示省略したが遊技機１０には、有価価値カードの挿入により遊技球を貸し出すためのカードユニット（ＣＲ球貸機）が付設されている。
【００３６】  遊技領域１２の正面視における左側端縁を区画する位置には、前記ハンドル１６の操作により打ち出された遊技球を遊技領域１２の上方へ導くための誘導レール１７が設けられている。遊技領域１２には、前記誘導レール１７より放出された遊技球が落下する経路に変化を与えるための天釘を含む遊技釘や風車等の他、球通路部２１〜２３、遊技球を受け入れる各種の入賞口４１〜４３や大入賞口１８を含む役物のほか、何れの入賞口にも入らずに落下した遊技球を排出するためのアウト口１９等が随所に設けられている。
【００３７】  本願発明の根幹を成す球通路部２１〜２３は、本実施の形態では合計３つ設けられている。すなわち、遊技領域１２の中央とその左右両側に並ぶように並設されている。各球通路部２１〜２３は、それぞれ遊技領域１２上に打ち出された遊技球が通過する上下方向に延びる状態で配設され、上端に入口と下端に出口が設けられている。各球通路部２１〜２３は、左右両側壁を成す隔壁部材を、互いに平行に対向させた状態で遊技球が通過可能な隙間を空けて配置して成る。
【００３８】  また、各球通路部２１〜２３の途中には、球通路部内を通過する遊技球を、球通路部外に排出するか、または球通路部内の通過を許可するかを決定する状態に変位可能な開閉体３０が設けられている。開閉体３０は、前記球通路部２１〜２３の内側を臨む状態で、該球通路部内を閉じる位置と開く位置とに揺動可能な先端側の揺動端部３１と、該揺動端部３１に対してその揺動中心を間にして一体に連なり、前記球通路部２１〜２３の外側に延出する駆動端部３２とを有して成る。
【００３９】  かかる開閉体３０は、略Ｌ字形に形成されており、その折曲部位が各球通路部２１〜２３の一方の隔壁部材に穿設された隙間を挿通した状態で、ピンにより揺動可能に枢支されている。すなわち、ピンに枢支された揺動中心より球通路部内に延びる先端側が揺動端部３１となり、揺動中心より球通路部外に延びる基端側が駆動端部３２となっている。開閉体３０の揺動端部３１の揺動は、駆動端部３２に遊技球が衝突することによって行われる。
【００４０】  また、各球通路部２１〜２３における前記揺動端部３１の傍ら、正確には揺動端部３１が対向する他方の隔壁部材には、揺動端部３１が球通路部内を閉じる位置にある時に、該揺動端部３１によって球通路部内での落下が絶たれた遊技球を球通路部外に導く球排出口３３が開設されている。
【００４１】  各球通路部２１〜２３ごとに開閉体３０は上下に亘り複数設けられており、この各開閉体３０ごとに対応して前記球排出口３３も複数開設されている。本実施の形態では、図１に示すように、正面視において中央と右側の各球通路部２２、２３では、各開閉体３０および球排出口３３は、両側の隔壁部材において左右交互に互い違いに並ぶように開設されているが、左側の球通路部２１では、各開閉体３０および球排出口３３は、左右どちらか一方の隔壁部材に並ぶように開設されている。詳しくは、左側の球通路部２１において、各球排出口３３は、球通路部２１の両側のうち左側のみに開設されている。
【００４２】  また、各球通路部２１〜２３の下端にある出口は、遊技領域１２に設けてある各入賞口４１〜４３を臨む位置に配置されている。ここで各球通路部２１〜２３の出口より排出された遊技球は、それぞれ対応する各入賞口４１〜４３に必ず入賞するように設定されている。さらに、各入賞口４１〜４３の下側には、所定の遊技条件の成立に基づいて開閉可能な大入賞口１８が設けられている。
【００４３】  次に、本実施の第１実施の形態に係る遊技機１０の作用について説明する。
図１において、遊技者により遊技が開始され、遊技者がハンドル１６を回転操作すると、遊技球が１個ずつ遊技盤１１上の遊技領域１２に打ち出される。遊技盤１１上に打ち出された遊技球は、誘導レール１７を通って遊技領域１２の左側端縁より最上端に向うように導かれる。
【００４４】  遊技領域１２に打ち出された遊技球が、各球通路部２１〜２３の入口に入るか否かは、遊技者の打ち出しの技量に左右される。そして、球通路部２１〜２３に入った遊技球は、遊技球の衝突を受けて揺動する開閉体３０によって、球通路部２１〜２３外に排出されるか、球通路部２１〜２３内をそのまま通過して該球通路部２１〜２３の出口まで到達するかが決定される。
【００４５】  このような球通路部２１〜２３により、従来存在しない斬新な遊技を提供することができる。すなわち、先ず球通路部２１〜２３内に遊技球を入れることに、遊技者の技量が試されることになる。また、開閉体３０の揺動は、その駆動端部３２に対する遊技球の衝突によるため、偶然性も大きく作用してスリルも増す。さらに、遊技球そのものの動きに意外感や面白味が付加され、表示制御等に頼ることなく、遊技球を遊技媒体とする遊技機１０本来の興趣を高めることができる。
【００４６】  特に、球通路部２１〜２３を複数設けたことにより、何れかの球通路部２１〜２３に遊技球が入る確率も高まり、よりいっそう遊技の興趣を高めることができる。また、各球通路部２１〜２３の開閉体３０は、上下に亘り複数設けられており、各開閉体３０ごとに対応させて球排出口３３が複数開設されているから、球通路部２１〜２３を通過する遊技球の動きが変化に富むものとなり、なおさら遊技の興趣を高めることができる。また、左側の球通路部２１のように、各球排出口３３を、球通路部２１の両側のうち一方側にのみ開設したから、該一方側にのみ球通路部２１外に排出される遊技球を導くことができる。
【００４７】  各球通路部２１〜２３の下端にある出口は、遊技領域１２にある入賞口４１〜４３を臨む位置に配置されているから、球通路部２１〜２３の出口まで到達した遊技球は、そのまま入賞口４１〜４３に入り易い。これにより、球通路部２１〜２３の遊技に関しての存在価値を高めることができる。ここで各入賞口４１〜４３に遊技球が入賞した場合に、これを条件として大入賞口１８を所定回数を限度に開閉すると良い。また、各入賞口４１〜４３ごとに、大入賞口１８が開閉する回数を異ならせたり、続けて各入賞口４１〜４３に遊技球が入賞した場合には、大入賞口１８が開く回数を加算するように制御しても良い。
【００４８】  図２は、本発明の第２実施の形態に係る遊技機１０を示している。
本遊技機１０では、複数の球通路部２１〜２３は、遊技領域１２の左右方向に並ぶように並設され、その両端に位置する球通路部２１〜２３の何れか少なくとも一つにおける前記球排出口３３を、遊技領域１２の外側を向く一方側にのみ開設し、該球排出口３３の傍らに排出された遊技球が入賞する入賞口５１〜５３を設けている。
【００４９】  詳しくは、図２に示すように、左側の球通路部２１における各球排出口３３が、遊技領域１２の外側を向く一方側にのみ開設され、３つある球排出口３３の傍らには、それぞれ入賞口５１〜５３が設けられている。ここで各入賞口５１〜５３は、例えば下方ほど大きくなるように、各球排出口３３ごとに異なる大きさに形成されている。なお、第１実施の形態と同種の部位には同一符号を付して重複した説明を省略する。
【００５０】  本実施の形態に係る遊技機１０によれば、複数の球通路部２１〜２３は、遊技領域１２の左右方向に並ぶように並設され、さらに、両端に位置する球通路部２１〜２３における球排出口３３を、遊技領域１２の外側を向く一方側にのみ配置して、該球排出口３３の傍らに、排出された遊技球が入賞する入賞口４１〜４３を設けたので、遊技球が入賞口４１〜４３に入賞する機会が多くなり、遊技者の射幸心を刺激することができる。
【００５１】  ここで入賞口４１〜４３は、各球排出口３３ごとにそれぞれ異なる大きさに形成されているので、よりいっそう遊技者の射幸心を刺激することができる。具体的には例えば、各入賞口４１〜４３の大きさ（大・中・小）に対応して、入賞球として受け入れられる遊技球の数が異なったり、払い出される賞球数が異なったりすると面白い。なお、第２実施の形態の変形例として、図３に示すように、各球通路部２１〜２３および各入賞口４１〜４３の遊技領域１２上における配置を左右対称に構成しても良い。
【００５２】  図４は、本発明の第３実施の形態に係る遊技機１０を示している。
本遊技機１０は、各球通路部２１〜２３の上端の入口に他に、該球通路部２１〜２３の両側のうち前記球排出口３３を開設した側の反対側にて前記開閉体３０の上方に、該球通路部２１〜２３の途中より遊技球が入賞し得る球入口３４を開設している。なお、第２実施の形態と同種の部位には同一符号を付して重複した説明を省略する。
【００５３】  本実施の形態に係る遊技機１０によれば、球通路部２１〜２３の上端の入口に他にも、該球通路部２１〜２３の両側のうち球排出口３３を開設した側の反対側にて開閉体３０の上方に、該球通路部２１〜２３の途中より遊技球が入賞し得る球入口３４を開設したので、球通路部２１〜２３に入る遊技球数が多くなり、ゲーム性を向上させることができる。なお、第３実施の形態の変形例として、図５に示すように、各球通路部２１〜２３および各入賞口４１〜４３の遊技領域１２上における配置を左右対称に構成しても良い。
【００５４】  図６は、本発明の第４実施の形態に係る遊技機１０を示している。
本遊技機１０は、遊技領域１２の両端に、それぞれ上下に直線状に延びる一対の球通路部２１、２２を設けたものである。この一対の球通路部２１、２２の間には、表示装置６０が配設されている。また、各球通路部２１、２２にある球排出口３３の傍らには、入賞口として通過入賞口（スルーチャッカー）５４が設けられている。
【００５５】  表示装置６０は、表示遊技の結果に関係する識別情報（例えば数字）や、表示遊技の演出表示に関係する各種画像（例えば背景）を変動表示させるものである。前記通過入賞口５４の何れかに遊技球が入賞すると、表示装置６０における表示遊技の権利が獲得され、表示遊技が実行される。表示遊技では、複数種類の識別情報が変動表示され、最終的に停止した識別情報の組み合わせが、予め定められた特定の組み合わせ（例えば「７７７」とぞろ目に揃った場合等）である特定表示態様（以下「大当たり」とも言う。）に確定すれば、特別遊技状態が発生する。
【００５６】  表示遊技の結果が、識別情報のうち確変図柄（例えば奇数図柄「１」、「３」、「５」、「７」、「９」）の何れかで全て同一種類に揃う特定表示態様（確率変動大当たり）に確定した場合には、確率変動状態を伴う特別遊技状態が発生することになる。すなわち、確変図柄で揃った特定表示態様（確率変動大当たり）が確定すると、これに基づき発生した特別遊技状態が終了した後、次回の特別遊技状態が発生するまで、表示遊技の結果が特定表示態様に確定する大当たり確率が高確率に変化する。
【００５７】  確率変動状態中には、表示装置６０における表示遊技の変動時間が短縮される時間短縮状態も併せて発生するように設定しても良い。なお、表示遊技の結果が、識別情報のうち非確変図柄（例えば偶数図柄「０」、「２」、「４」、「６」、「８」）の何れかで全て同一種類に揃う特定表示態様（非確率変動大当たり）に確定した場合には、確率変動状態を伴わない特別遊技状態が発生することになる。この特別遊技状態が終了した後、所定回数（例えば１００回）を限度に、次回以降の表示遊技における変動時間が短縮されるように設定しても良い。
【００５８】  表示遊技の実行中あるいは特別遊技状態の発生中に、通過入賞口５４に遊技球が入賞した場合には、表示遊技を実行する権利が保留として獲得され、現在進行中の表示遊技等が終了した後、保留されていた権利が順次消化されるようになっている。前記表示遊技の保留数は、例えば最大で４個と設定されている。
【００５９】  大入賞口１８は、前記表示遊技の結果が特定表示態様となった場合に、特別遊技状態を形成するように開閉制御される。特別遊技状態は、大入賞口１８の扉が開いて遊技球が入賞し易い開状態となり、所定時間（例えば３０秒）の経過または遊技球の所定個数（例えば１０個）の入賞により扉が閉鎖されて入賞し難い閉状態となる動作が、所定の回数（例えば１５回）を上限に繰り返す状態である。
【００６０】  このような遊技機１０によれば、球通路部２１、２２を遊技領域１２の両端に一対設けたことにより、左右の球通路部２１、２２間の遊技領域１２を広くとることができる。例えば、本実施の形態のように、表示装置６０を配設したことにより、左右の球通路部２１、２２間の遊技領域１２を有効に活用することができる。なお、第１実施の形態と同種の部位には同一符号を付して重複した説明を省略する。
【００６１】  図７は、本発明の第５実施の形態に係る遊技機１０を示している。
本遊技機１０は、遊技領域１２の両端に設けた一対の球通路部２１、２２を、それぞれ遊技領域１２の外縁に沿った形状、すなわち左右対称に向き合う円弧形に形成したものである。
【００６２】  一対の球通路部２１、２２の間には、複数の表示装置６０、６１、６２が配設されている。さらに、各球通路部２１、２２の互いに対向する上端の入口の間には、前記通過入賞口５４の代わりに遊技球が入賞すると各表示装置６０、６１、６２を一斉に変動させるための始動入賞口（チャッカー）５５が設けられてる。
【００６３】  本実施の形態に係る遊技機１０によれば、一対の球通路部２１、２２を、それぞれ遊技領域１２の外縁に沿った形状に形成したから、遊技領域１２をよりいっそう広くとることができる。これにより、一対の球通路部２１、２２の間に、複数の表示装置６０、６１、６２を配設することも可能となる。なお、第４実施の形態と同種の部位には同一符号を付して重複した説明を省略する。
【００６４】  図８は、本発明の第６実施の形態に係る遊技機１０を示している。
本遊技機１０は、球通路部２１を、遊技領域１２の略中央に一つ設け、該球通路部２１の両側に、それぞれ表示装置６０を配設したものである。かかる遊技機では、球排出口３３の傍らにある通過入賞口５４に遊技球が入賞した場合に、該通過入賞口５４がある側の表示装置６０で変動が開始するように制御すると良い。
【００６５】  本実施の形態に係る遊技機１０によれば、球通路部２１を、遊技領域１２の略中央に一つ設け、該球通路部２１の両側に、それぞれ表示装置６０を配設したから、また別のデザインとして遊技の興趣を高めることができる。なお、第５実施の形態と同種の部位には同一符号を付して重複した説明を省略する。
【００６６】  以上、本発明の実施の形態を図面によって説明してきたが、具体的な構成はこれらの実施の形態に限られるものではなく、本発明の要旨を逸脱しない範囲における変更や追加があっても本発明に含まれる。例えば、各球通路部２１〜２３の内部の隙間は、図示しものよりも大きく設定しても良い。
【産業上の利用可能性】
【００６７】  本発明に係る遊技機はパチンコ機に限らず、プログラム制御されるスマートボールゲーム機、アレンジボールゲーム機といった他の遊技機にも同様に適用することができる。
【符号の説明】
【００６８】１０…遊技機
１１…遊技盤
１２…遊技領域
１３…ガラス枠
１４…上受け皿
１５…下受け皿
１６…ハンドル
１７…誘導レール
１８…大入賞口
１９…アウト口
２１…球通路部
２２…球通路部
２３…球通路部
３０…開閉体
３１…揺動端部
３２…駆動端部
３３…球排出口
４１…入賞口
４２…入賞口
４３…入賞口
５１…入賞口
５２…入賞口
５３…入賞口
５４…通過入賞口
６０…表示装置
６１…表示装置
６２…表示装置
【図１】
2011152373.tif 000003
【図２】
2011152373.tif 000004
【図３】
2011152373.tif 000005
【図４】
2011152373.tif 000006
【図５】
2011152373.tif 000007
【図６】
2011152373.tif 000008
【図７】
2011152373.tif 000009
【図８】
2011152373.tif 000010